Podtech/llm-jp-corpus-v4-ja_patent huggingface dataset:
【手続補正書】
【提出日】平成19年8月24日(2007.8.24)
【手続補正１】
【補正対象書類名】特許請求の範囲
【補正対象項目名】全文
【補正方法】変更
【補正の内容】
【特許請求の範囲】
【請求項１】
基板の下面を支持する複数のピンと、
前記複数のピンが取り付けられた可動部材と、
前記可動部材を移動可能に保持する保持機構と、
前記複数のピンにより支持された基板の側面を押して、基板の位置決めを行う位置決め手段とを備え、
前記複数のピンは、前記位置決め手段により基板の側面が押されたとき、前記保持機構に保持された前記可動部材の移動によって、基板と共に移動することを特徴とする基板の位置決め装置。
【請求項２】
前記可動部材を所定の位置へ移動して、前記複数のピンを所定の位置に合わせる位置合わせ機構を備えたことを特徴とする請求項１に記載の基板の位置決め装置。
【請求項３】
前記可動部材を固定して、前記複数のピンの移動を阻止するロック機構を備えたことを特徴とする請求項１又は請求項２に記載の基板の位置決め装置。
【請求項４】
可動部材に取り付けられた複数のピンで基板の下面を支持し、
基板の側面を押して、基板を複数のピンと共に移動して基板の位置決めを行うことを特徴とする基板の位置決め方法。
【請求項５】
基板の下面を支持する前に、可動部材を所定の位置へ移動して、複数のピンを所定の位置に合わせることを特徴とする請求項４に記載の基板の位置決め方法。
【請求項６】
請求項１乃至請求項３のいずれか一項に記載の基板の位置決め装置を有し、該基板の位置決め装置により位置決めされた基板へ検査光を照射し、基板からの反射光又は散乱光を受光して、基板の検査を行うことを特徴とする基板の検査装置。
【手続補正２】
【補正対象書類名】明細書
【補正対象項目名】発明の名称
【補正方法】変更
【補正の内容】
【発明の名称】基板の位置決め装置及び位置決め方法、並びに基板の検査装置
【手続補正３】
【補正対象書類名】明細書
【補正対象項目名】０００１
【補正方法】変更
【補正の内容】
【０００１】
本発明は、例えば、ガラス基板、プラスチック基板等の基板の検査等において、基板の位置決めを行う位置決め装置及び位置決め方法、並びにそれらを用いた基板の検査装置に係り、特に大型の基板の位置決めを行うのに好適な位置決め装置及び位置決め方法、並びにそれらを用いた基板の検査装置に関する。
【手続補正４】
【補正対象書類名】明細書
【補正対象項目名】００１２
【補正方法】変更
【補正の内容】
【００１２】
さらに、可動部材を固定して、複数のピンの移動を阻止するロック機構を設けると、基板の位置合わせ以外でピンの移動が必要ないときに、複数のピンの移動を阻止することができる。本発明の基板の検査装置は、上記のいずれかの基板の位置決め装置を有し、該基板の位置決め装置により位置決めされた基板へ検査光を照射し、基板からの反射光又は散乱光を受光して、基板の検査を行うものである。
【手続補正５】
【補正対象書類名】明細書
【補正対象項目名】００３９
【補正方法】変更
【補正の内容】
【００３９】
本発明の基板の位置決め装置及び位置決め方法は、基板の検査に限らず、表示用パネルの製造工程で基板の位置決めが必要な場合にも適用することができる。
【手続補正書】
【提出日】平成19年1月26日(2007.1.26)
【手続補正１】
【補正対象書類名】明細書
【補正対象項目名】００２９
【補正方法】変更
【補正の内容】
【００２９】
この結果、図６(b)に示すように、ターゲット１１は、右側はソルダーレジスト２３（図６(d)）により、左側はシルク印刷による表示４（図６(c)）により電磁波シールド用導電層３との間が絶縁されている。
【手続補正２】
【補正対象書類名】明細書
【補正対象項目名】００３３
【補正方法】変更
【補正の内容】
【００３３】
【図１】図１(a),(b)は、本発明に係るプリント基板に用いるターゲットを例示する説明図。
【図２】図２(a),(b)は、図１(a)に示した十字型ターゲットを用いた場合の、ソルダーレジストが位置ずれを起こしていない状態を示す平面図およびＢ１−Ｂ１線に沿う断面図。
【図３】図３(a),(b)は、図１(a)に示した十字型ターゲットを用いた場合の、ソルダーレジストが位置ずれを起こした状態を示す平面図およびＢ２−Ｂ２線に沿う断面図。
【図４】図４(a),(b)は、図１(b)に示した円形ターゲットを用いた場合の、ソルダーレジストが位置ずれを起こしていない状態を示す平面図およびＢ１−Ｂ１線に沿う断面図。
【図５】図５(a),(b)は、図１(b)に示した円形ターゲットを用いた場合の、ソルダーレジストが位置ずれを起こした状態を示す平面図およびＢ２−Ｂ２線に沿う断面図。
【図６】図６(a),(b)は、図１(a)に示した十字型ターゲットを用いた場合の、ソルダーレジストおよびシルク印刷による表示が位置ずれを起こしていない状態を示す平面図およびＢ５−Ｂ５線に沿う断面図、図６(c)，(d)は、シルク印刷による表示およびソルダーレジストを示す平面図。
【図７】図７(a),(b)は、図１(a)に示した円形ターゲットを用いた場合の、ソルダーレジストが位置ずれを起こした状態を示す平面図およびＢ６−Ｂ６線に沿う断面図。
【手続補正書】
【提出日】平成18年12月7日(2006.12.7)
【手続補正１】
【補正対象書類名】明細書
【補正対象項目名】００１１
【補正方法】変更
【補正の内容】
【００１１】
埋め込み不純物領域３，４の上方における半導体層２の上面内には、不純物領域６と離れてｐ型の不純物領域５が形成されている。そして、不純物領域５上にはダイオード素子１５のアノード電極８が形成されている。不純物領域５は、埋め込み不純物領域４まで達しており、上面視上で不純物領域６を中心にしてそれを取り囲むように埋め込み不純物領域４の周端部に沿って形成されている。従って、不純物領域５は、上面視上では略円環状となっている。
【手続補正２】
【補正対象書類名】明細書
【補正対象項目名】００１２
【補正方法】変更
【補正の内容】
【００１２】
不純物領域５に対して不純物領域６とは反対側では、半導体層２の上面内に不純物領域５と離れてｎ型の不純物領域７が形成されている。この不純物領域７は、埋め込み不純物領域３における、埋め込み不純物領域４と接していない周端部の上方に、不純物領域５とほぼ同じ深さで形成されており、埋め込み不純物領域３には達していない。また不純物領域７は、上面視上で不純物領域５とともに不純物領域６を中心にしてそれを取り囲むように埋め込み不純物領域３の周端部に沿って形成されている。従って、不純物領域７も上面視上では略円環状となっている。不純物領域７上には電極１０が形成されており、当該電極１０は、不純物領域７を除いて周囲から絶縁されている。従って、不純物領域７の電位はフローティング電位となる。
【手続補正３】
【補正対象書類名】明細書
【補正対象項目名】００１６
【補正方法】変更
【補正の内容】
【００１６】
また本実施の形態１では、ダイオード素子１５に逆電圧が印加されると、不純物領域５と不純物領域７とで挟まれた半導体層２にもほぼ全域に空乏層が形成され、この空乏層と、不純物領域５と埋め込み不純物領域４の接触部分に形成される空乏層と、不純物領域５及び埋め込み不純物領域４によって取り囲まれた半導体層２に形成される空乏層とは繋がっている。
【手続補正４】
【補正対象書類名】明細書
【補正対象項目名】００２０
【補正方法】変更
【補正の内容】
【００２０】
図６に示されるように、比較対象装置では、電極１０とアノード電極８とが電気的に接続されている。そのため、不純物領域５と不純物領域７とが電気的に接続されている。そして、ダイオード素子１５に逆電圧を印加すると、不純物領域５と埋め込み不純物領域４で囲まれた半導体層２のほぼ全域が空乏化する。しかしながら、比較対象装置では、本実施の形態１に係る半導体装置とは異なり、不純物領域５と埋め込み不純物領域４との接触部分にはほとんど空乏層が形成されない。これは、電極１０とアノード電極８とが電気的に接続されているため、埋め込み不純物領域４と不純物領域５の接触部分が空乏化されると電極１０とカソード電極９との間でリーク電流が流れてしまうためである。従って、不純物領域６の電位が不純物領域５よりも大きくなったとしても、不純物領域５と埋め込み不純物領域４とは電気的に接続されたままである。そのため、埋め込み不純物領域４の電位は不純物領域５の電位と同じになる。
【手続補正５】
【補正対象書類名】明細書
【補正対象項目名】００３５
【補正方法】変更
【補正の内容】
【００３５】
このように、本実施の形態２に係る半導体装置では、埋め込み不純物領域４の端部が不純物領域５よりも不純物領域６とは反対側に延びている。従って、ダイオード素子１５に逆電圧が印加されると、埋め込み不純物領域４のうち、不純物領域５に対して不純物領域６とは反対側に位置する部分４ａからも空乏層が延び、ＲＥＳＲＵＦ効果によって、図１１の破線５０に示されるように、当該部分４ａの上方における半導体層２がその上面まで空乏化され易くなる。その結果、不純物領域５よりも外側における半導体層２の上面付近での電界集中が緩和され、当該半導体層２においてアバランシェ降伏が生じる電位を上昇させることができる。これにより、埋め込み不純物領域４の電位を確実に上昇させることができる。よって、不純物領域６と埋め込み不純物領域４との間の電位差を小さくすることができ、本半導体装置における厚さ方向の耐圧を更に向上することができる。
【手続補正６】
【補正対象書類名】明細書
【補正対象項目名】００４８
【補正方法】変更
【補正の内容】
【００４８】
実施の形態６．
上述の実施の形態１〜５に係る半導体装置では、埋め込み不純物領域４は単独でフローティング状態となっているため、不純物領域５をベース、不純物領域５よりも外側における半導体層２、不純物領域７及び埋め込み不純物領域３をエミッタ、半導体基板１をコレクタとしてそれぞれ把握されるｐｎｐ型の寄生バイポーラトランジスタが動作し、当該半導体装置が誤動作する可能性があった。
【手続補正書】
【提出日】平成19年8月15日(2007.8.15)
【手続補正１】
【補正対象書類名】特許請求の範囲
【補正対象項目名】全文
【補正方法】変更
【補正の内容】
【特許請求の範囲】
【請求項１】
光源と、
前記光源から入射された放射光を面状に出射する導光体と、
前記導光体と前記光源とを支持するとともに、前記導光体と前記光源とを位置決めする突起部を有するフレームと、
前記導光体に対向して設けられた前記光源から放射された放射光に所定の光学特性を付与するとともに、前記導光体と前記フレームの突起部との間に配置された前記導光体と突起部との接触を規制する規制部を有した光学シートと、
を備えた面光源装置。
【請求項２】
前記導光体は、放射光を面状に出射する第１主面、この第１主面の反対側に位置し前記フレームに対向した第２主面、および第１および第２主面間を延びるとともに前記突起部に対向した側面を有し、
前記光学シートは、前記第１および第２主面に対向して設けられ、前記規制部は、前記光学シートから延出し前記側面に沿って折り曲げられた舌片を有する、
請求項１記載の面光源装置。
【請求項３】
前記導光体は、前記光源からの放射光が入射する入射面と、入射面から入射した入射光が出射する第１主面と、この第１主面の反対側に位置する第２主面とを備え、
前記舌片は、前記導光体の第１主面側に配置された前記光学シートに設けられている
請求項１記載の面光源装置。
【請求項４】
前記導光体は、前記光源からの放射光が入射する入射面と、入射面から入射した入射光が出射する第１主面と、この第１主面の反対側に位置する第２主面とを備え、
前記舌片は、前記フレームと前記導光体の第２主面との間に配置された前記光学シートに設けられている
請求項１記載の面光源装置。
【請求項５】
前記光学シートは略矩形状で、その大きさは前記導光体と前記光源が配置される領域よりも大きく、
前記導光体の前記光源に対向していない側面と、前記光源の導光体に対向していない側面側と、上面側とを覆うように配置されている
請求項１記載の面光源装置。
【請求項６】
複数の表示画素が配置された有効表示部を備えた液晶表示パネルと、
前記液晶表示パネルを照明する面光源装置と、を備えた液晶表示装置であって、
前記面光源装置は、光源と、
前記光源から入射された放射光を面状に出射する導光体と、
前記導光体と前記光源とを支持するとともに、前記導光体と前記光源とを位置決めする突起部を有するフレームと、
前記導光体に対向して設けられた前記光源から放射された放射光に所定の光学特性を付与するとともに、前記導光体と前記フレームの突起部との間に配置された前記導光体と突起部との接触を規制する規制部を有した光学シートと、
を備えた液晶表示装置。
【請求項７】
前記導光体は、前記液晶表示パネルと対向する第１主面、前記フレームに対向する第２主面、および第１および第２主面間を延びるとともに前記突起部に対向した側面を有し、
前記光学シートは、前記第１および第２主面の一方に対向して設けられ、前記規制部は、前記光学シートから延出し前記側面に沿って折り曲げられた舌片を有する、
請求項６記載の液晶表示装置。
【請求項８】
前記導光体は、前記光源からの放射光が入射する入射面と、入射面から入射した入射光が出射する互いに対向した第１主面および第２主面を備え、
前記舌片は、前記導光体の第１主面側に配置された前記光学シートに設けられている
請求項６記載の液晶表示装置。
【請求項９】
前記導光体は、前記光源からの放射光が入射する入射面と、入射面から入射した入射光が出射する互いに対向した第１主面および第２主面を備え、
前記舌片は、前記フレームと前記導光体の第２主面との間に配置された前記光学シートに設けられている
請求項６記載の液晶表示装置。
【請求項１０】
前記光学シートは略矩形状で、その大きさは前記導光体と前記光源が配置される領域よりも大きく、
前記導光体の前記光源に対向していない側面と、前記光源の導光体に対向していない側面側と、上面側とを覆うように配置されている
請求項６記載の液晶表示装置。
【手続補正２】
【補正対象書類名】明細書
【補正対象項目名】０００８
【補正方法】変更
【補正の内容】
【０００８】
本発明の様態による面光源装置は、光源と、前記光源から入射された放射光を面状に出射する導光体と、前記導光体と前記光源とを支持するとともに、前記導光体と前記光源とを位置決めする突起部を有するフレームと、前記導光体に対向して設けられた前記光源から放射された放射光に所定の光学特性を付与するとともに、前記導光体と前記フレームの突起部との間に配置された前記導光体と突起部との接触を規制する規制部を有した光学シートとを備える。
【手続補正３】
【補正対象書類名】明細書
【補正対象項目名】０００９
【補正方法】変更
【補正の内容】
【０００９】
本発明の様態による液晶表示装置は、複数の表示画素が配置された有効表示部を備えた液晶表示パネルと、前記液晶表示パネルを照明する面光源装置と、を備えた液晶表示装置であって、前記面光源装置は、光源と、前記光源から入射された放射光を面状に出射する導光体と、前記導光体と前記光源とを支持するとともに、前記導光体と前記光源とを位置決めする突起部を有するフレームと、前記導光体に対向して設けられた前記光源から放射された放射光に所定の光学特性を付与するとともに、前記導光体と前記フレームの突起部との間に配置された前記導光体と突起部との接触を規制する規制部を有した光学シートとを備える。
【手続補正書】
【提出日】平成19年9月12日(2007.9.12)
【手続補正１】
【補正対象書類名】特許請求の範囲
【補正対象項目名】全文
【補正方法】変更
【補正の内容】
【特許請求の範囲】
【請求項１】
固体高分子電解質膜の両面内に触媒層が積層された燃料電池用膜電極接合体において、
前記接合体は透湿度０．０１ｇ／（ｍ2・ｄａｙ）以下、かつ、酸素透過量０．０１ｍｌ／（ｍ2・ｄａｙ・ａｔｍ）以下の密閉容器内に保管されると共に、
触媒層及び電解質膜の端面と、電解質膜のうち前記触媒層が積層されていない面と、前記密閉容器とで形成される空間を不活性ガスでパージすることで前記密閉容器内の酸素を除いた雰囲気とし、更に前記電解質膜の端面と前記密閉容器とは接触させず前記電極接合体を保管すること
を特徴とする燃料電池用膜電極接合体の保管方法。
【請求項２】
前記電解質膜の両面に積層された触媒層のそれぞれの表面には多孔質カーボン電極が接着されている請求項１記載の燃料電池用膜電極接合体の保管方法。
【請求項３】
前記多孔質カーボン電極のそれぞれの表面には更に高分子系のフィルム樹脂が付着されてなる請求項２記載の燃料電池用膜電極接合体の保管方法。
【請求項４】
前記電解質膜の最外に積層された層のうち前記電解質膜側とは反対の表面は、前記密閉容器と密着している請求項１〜３の何れか一項に記載の燃料電池用膜電極接合体の保管方法。
【請求項５】
不活性ガスは窒素ガスである請求項１〜４の何れか一項に記載の燃料電池用膜電極接合体の保管方法。
【請求項６】
不活性ガスはパージ前の容器内のガスと同じ湿度である請求項１〜５の何れか一項に記載の燃料電池用膜電極接合体の保管方法。
【手続補正書】
【提出日】平成19年8月1日(2007.8.1)
【手続補正１】
【補正対象書類名】特許請求の範囲
【補正対象項目名】全文
【補正方法】変更
【補正の内容】
【特許請求の範囲】
【請求項１】
電子銃から放出された電子線を成形して試料面上に照射する照射光学系と、前記試料から放出された二次電子を検出系に結像する写像投影光学系とを備えた電子線装置の信号取り出し方法において、
前記写像投影光学系には二次電子の像を光信号に変換するシンチレータ及び光学部材を設け、前記光学部材の真空側を平面としかつ該平面に前記シンチレータを設け、前記光学部材の大気側を曲面とし、前記シンチレータにより形成された光信号を前記曲面を通して大気側に取り出すことを特徴とする、信号取り出し方法。
【請求項２】
電子銃から放出された電子線を成形して試料面上に照射する照射光学系と、前記試料から放出された二次電子を検出系に結像する写像投影光学系とを備えた電子線装置において、
前記写像投影光学系には二次電子の像を光信号に変換するシンチレータ及び光学部材を設け、前記光学部材の真空側を平面としかつ該平面に前記シンチレータを設け、前記光学部材の大気側を曲面とし、前記シンチレータにより形成された光信号を前記曲面を通して大気側に取り出すようにしたことを特徴とする、電子線装置。
【請求項３】
請求項２に記載の電子線装置を使用してプロセス途中のウェハの評価を行うことを特徴とする、デバイス製造方法。
【手続補正書】
【提出日】平成19年7月17日(2007.7.17)
【手続補正１】
【補正対象書類名】特許請求の範囲
【補正対象項目名】請求項３
【補正方法】変更
【補正の内容】
【請求項３】
前記パケット送受信制御部は、自身を基準に、前段、次段、及び次々段にある機器のアドレスを保持するアドレス保持部を備えたことを特徴とする請求項１に記載のネットワーク構築するための機器。
【手続補正書】
【提出日】平成19年8月9日(2007.8.9)
【手続補正１】
【補正対象書類名】特許請求の範囲
【補正対象項目名】全文
【補正方法】変更
【補正の内容】
【特許請求の範囲】
【請求項１】
振れを抑えるために複数回の撮影を行い、これら複数の画像を合成して１の適正露出の画像を得る撮像装置であって、
被写体の光学像を電気信号として取り込む撮像手段と、
前記撮像手段による撮影時に照明を行う照明手段と、
前記撮像手段による複数回の撮影によって得られた複数の画像を合成する画像合成手段と、
を備え、
前記複数の画像の全てが、前記照明手段による照明を行って撮影された画像であることを特徴とする撮像装置。
【請求項２】
前記照明手段は、発光量の上限が異なる第１及び第２の照明手段を有しており、
前記第１の照明手段が選択された場合においてのみ、前記画像合成手段は、前記第１の照明手段による照明を行って撮影された複数の画像を合成することを特徴とする請求項１に記載の撮像装置。
【請求項３】
前記第１の照明手段は白色発光ダイオードであり、前記第２の照明手段は前記白色発光ダイオードより発光量の上限が大きいストロボであることを特徴とする請求項２に記載の撮像装置。
【請求項４】
前記照明手段は、撮影回数に応じて前記照明手段による発光量を分割して照明を行うことを特徴とする請求項１乃至３のいずれか１項に記載の撮像装置。
【請求項５】
前記撮像手段は、撮影回数に応じた露出時間内に手振れの発生が予測される場合には、前記第２の照明手段を発光させて撮影を行い、
前記撮影回数に応じた露出時間内に手振れの発生がないと予測される場合には、前記第１の照明手段を発光させて撮影を行うことを特徴とする請求項２又は３に記載の撮像装置。
【請求項６】
前記第１の照明手段は、前記撮像手段による撮影が所定の撮影回数となるまで発光を継続することを特徴とする請求項２、３又は５に記載の撮像装置。
【請求項７】
前記第１の照明手段は、白色発光ダイオードであり、
前記白色発光ダイオードは、赤、青及び緑の３色発光ダイオードで構成され、それらを合成して白色を得ることを特徴とする請求項２、３、５又は６に記載の撮像装置。
【請求項８】
振れを抑えるために複数回の撮影を行い、これら複数の画像を合成して１の適正露出の画像を得る撮像方法であって、
被写体の光学像を電気信号として取り込む撮像工程と、
前記撮像工程による撮影時に照明手段により照明を行う照明工程と、
前記撮像工程による複数回の撮影によって得られた複数の画像を合成する画像合成工程と、
を備え、
前記複数の画像の全てが、前記照明手段による照明を行って撮影された画像であることを特徴とする撮像方法。
【手続補正２】
【補正対象書類名】明細書
【補正対象項目名】００２３
【補正方法】変更
【補正の内容】
【００２３】
上記課題を解決するために、本発明の第１の側面は、振れを抑えるために複数回の撮影を行い、これら複数の画像を合成して１の適正露出の画像を得る撮像装置に係り、被写体の光学像を電気信号として取り込む撮像手段と、前記撮像手段による撮影時に照明を行う照明手段と、前記撮像手段による複数回の撮影によって得られた複数の画像を合成する画像合成手段と、を備え、前記複数の画像の全てが、前記照明手段による照明を行って撮影された画像であることを特徴とする。
【手続補正３】
【補正対象書類名】明細書
【補正対象項目名】００２４
【補正方法】変更
【補正の内容】
【００２４】
また、本発明の第２の側面は、振れを抑えるために複数回の撮影を行い、これら複数の画像を合成して１の適正露出の画像を得る撮像方法に係り、被写体の光学像を電気信号として取り込む撮像工程と、前記撮像工程による撮影時に照明手段により照明を行う照明工程と、前記撮像工程による複数回の撮影によって得られた複数の画像を合成する画像合成工程と、を備え、前記複数の画像の全てが、前記照明手段による照明を行って撮影された画像であることを特徴とする。
【手続補正４】
【補正対象書類名】明細書
【補正対象項目名】００２６
【補正方法】変更
【補正の内容】
【００２６】
以上のような構成を備える本発明によれば、補助光を分割して露光し複数毎の低輝度画像を撮影して得られた複数の画像を合成することにより適正露光を得るため、一回の露光で適正にする場合と比較し光量が少なくなり、補助光を発する照明手段の光量または必要個数を減少させることができる。
【手続補正書】
【提出日】平成19年10月24日(2007.10.24)
【手続補正１】
【補正対象書類名】明細書
【補正対象項目名】請求項３
【補正方法】変更
【補正の内容】
【請求項３】３級アルコールが一般式（１）で表されることを特徴とする請求項１記載のアクリルモノマーの製造方法。
【化１】
2002173467.tif 000001
（Ｒ１〜Ｒ３はそれぞれ独立にアルキル基、置換アルキル基、シクロアルキル基または芳香環を示す。ただし、Ｒ1〜Ｒ3のうち少なくとも一つは芳香環である。）
【手続補正２】
【補正対象書類名】明細書
【補正対象項目名】請求項６
【補正方法】変更
【補正の内容】
【請求項６】一般式（２）、（３）の金属アルコキシドの置換基Ｒ４〜Ｒ９がそれぞれ独立にアルキル基、置換アルキル基、シクロアルキル基または芳香環であり、かつＲ４〜Ｒ６の少なくとも１つが芳香環であり、Ｒ７〜Ｒ９の少なくとも１つが芳香環であることを特徴とする請求項４記載のアクリルモノマーの製造方法。
【手続補正３】
【補正対象書類名】明細書
【補正対象項目名】００１３
【補正方法】変更
【補正の内容】
【００１３】
Ｒ１〜Ｒ３はそれぞれ独立にアルキル基、置換アルキル基、シクロアルキル基または芳香環を示す。ただし、Ｒ１〜Ｒ３のうち少なくとも一つは芳香環である。Ｒ１〜Ｒ３の具体例としては、メチル基、エチル基、プロピル基、ブチル基、メトキシメチル基、エトキシブチル基、ヒドロキシエチル基、シクロヘキシル基、フェニル基、トリル基、メトキシフェニル基、ヒドロキシフェニル基、ナフチル基などが挙げられる。
【手続補正４】
【補正対象書類名】明細書
【補正対象項目名】００２０
【補正方法】変更
【補正の内容】
【００２０】
ここで用いる有機リチウム試薬、グリニャール試薬の例としては、メチルリチウム、ｎ−ブチルリチウム、ｓ−ブチルリチウム、ｔ−ブチルリチウム、フェニルリチウム、メチルマグネシウムブロミド、エチルマグネシウムブロミド、ｎ−プロピルマグネシウムブロミド、ｎ−ブチルマグネシウムブロミド、フェニルマグネシウムブロミド、エチルマグネシウムクロリドなどが挙げられる。この金属アルコキシドを用いた３級アクリルモノマーの製造方法は、嵩高い置換基を有する３級アクリルモノマーを合成する際に特に有効である。例えば、環構造の有機基を有する金属アルコキシドを用いる場合や、置換基Ｒ４〜Ｒ９がそれぞれ独立にアルキル基、置換アルキル基、シクロアルキル基または芳香環であり、かつＲ４〜Ｒ６のうち少なくとも１つが芳香環であり、Ｒ７〜Ｒ９のうち少なくとも１つが芳香環である場合などがこれに相当する。
【手続補正書】
【提出日】平成19年3月29日(2007.3.29)
【手続補正１】
【補正対象書類名】明細書
【補正対象項目名】００１３
【補正方法】変更
【補正の内容】
【００１３】
実施例１
表１に示すような配合で試料を作成して比較した。
試料は、以下に示す方法で作成した。ホルクロルフェニュロン（協和醗酵工業社製）0.5gをN-メチルピロリドン（ISP Technologies, Inc.社製）4.5gに溶解し、日石ハイゾールSAS-296（日石化学社製）を1.0g添加し良く混合した。界面活性剤レオドールTW-O120（花王社製）（HLB15）4.0gを混合した後、水を適宜添加した。次に、試料１では水溶性増量剤であるソルビトール（日研化学社製）４９０ｇに前述の混合溶液を添加し、十分に混合させた。試料２では、水溶性増量剤であるトレハロース（林原生物化学研究所製）３９０ｇとバインダーとしてメチルセルロース（信越化学工業社製）１００ｇを予め混合し、これに前述の混合溶液を添加し、十分に混合させた。試料３では、水溶性増量剤として水溶性デキストリン（松谷化学工業社製）３９０ｇとバインダーとしてメチルセルロース１００ｇを予め混合し、これに前述の混合溶液を添加し、十分に混合させた。試料４では、水溶性デキストリン３９０ｇとバインダーとしてカルボキシメチルセルロース（ＣＭＣ）（日本製紙社製）１００ｇを予め混合し、これに前述の混合溶液を添加し、十分に混合させた。試料５では、水溶性増量剤としてα化デンプン(松谷化学工業社製）９８ｇとトレハロース３９２ｇとを予め混合し、これに前述の混合溶液を添加し、十分に混合させた。試料６では、水溶性増量剤としてソルビトール２５ｇとトレハロース３６５ｇと、バインダーとしてメチルセルロース１００ｇを予め混合し、これに前述の混合溶液を添加し、十分に混合させた。このように各試料毎に調製した混合物を、０．７ｍｍΦのダイス備えたスクリュー造粒機（ペレッターダブルEXD-60、（株）ダルトン社製）へそれぞれ投入し、粒状へ成形した後、70℃で乾燥し、試料１〜６とした。得られた試料の造粒加工性と水中溶解性を表２に示す。
【手続補正書】
【提出日】平成19年9月18日(2007.9.18)
【手続補正１】
【補正対象書類名】明細書
【補正対象項目名】特許請求の範囲
【補正方法】変更
【補正の内容】
【特許請求の範囲】
【請求項１】  Ａｌの純度が９９．９６％（質量％、以下同じ）以上の電解コンデンサ用アルミニウム箔であって、ＦｅおよびＳｉをそれぞれ５〜１５０ppm 、Ｃｕを１０〜６０ppm 、Ｎｉを０．５〜１０ppm 、Ｉｎ、ＢｉおよびＳｎのうちの１種以上を、その合計量が３０ppm 以下となるよう含有すると共に、Ｎｉの含有量とＩｎ、ＢｉおよびＳｎの含有量の合計の比（Ｎｉ(ppm) ／（Ｉｎ(ppm) ＋Ｂｉ(ppm) ＋Ｓｎ(ppm) ））が０．０５〜１０であり、残部が不可避不純物からなることを特徴とする陽極電解コンデンサ用アルミニウム箔。
【手続補正２】
【補正対象書類名】明細書
【補正対象項目名】０００９
【補正方法】変更
【補正の内容】
【０００９】
【課題を解決するための手段】
本発明による陽極電解コンデンサ用アルミニウム箔は、Ａｌの純度が９９．９６％以上の電解コンデンサ用アルミニウム箔であって、ＦｅおよびＳｉをそれぞれ５〜１５０ppm 、Ｃｕを１０〜６０ppm 、Ｎｉを０．５〜１０ppm 、Ｉｎ、ＢｉおよびＳｎのうちの１種以上を、その合計量が３０ppm 以下となるよう含有すると共に、Ｎｉの含有量とＩｎ、ＢｉおよびＳｎの含有量の合計の比（Ｎｉ(ppm) ／（Ｉｎ(ppm) ＋Ｂｉ(ppm) ＋Ｓｎ(ppm) ））が０．０５〜１０であり、残部が不可避不純物からなることを特徴とする。
【手続補正書】
【提出日】平成19年2月1日(2007.2.1)
【手続補正１】
【補正対象書類名】明細書
【補正対象項目名】００２８
【補正方法】変更
【補正の内容】
【００２８】
尚、試験方法は以下のとおりである。
ノッチ付アイゾット衝撃強度：２３℃における、１／８インチ厚のノッチ付アイゾット衝撃強度をＡＳＴＭＤ２５６に準拠して測定した。５０ｋｇｃｍ/ｃｍ以上を合格とした。
全光線透過率：ＡＳＴＭ Ｄ１００３に準拠して測定した。８０％以上を合格とした。
イエローネスインデックス（ＹＩ）：ＡＳＴＭ Ｄ−１９２５に準拠して測定した。８以下を合格とした。
表面抵抗値：７０ｘ４０ｘ３ｍｍの平板を射出成形にて作成し、以下の条件にて測定を行った。平板試験片を２３℃、５５％相対湿度の条件で２４時間状態調節した後、表面抵抗計（東亜電波工業社製ＳＭ−１０Ｅ）を使用し、測定電圧５００Ｖ、サンプリング時間３０秒の条件で表面抵抗値を測定した。表面抵抗値が１ｘ１０14Ω以下を合格とした。
【手続補正書】
【提出日】平成19年10月25日(2007.10.25)
【手続補正１】
【補正対象書類名】明細書
【補正対象項目名】特許請求の範囲
【補正方法】変更
【補正の内容】
【特許請求の範囲】
【請求項１】
酸型官能基を有するフルオロカーボンポリマーの乳化分散液を凝集して得られる該フルオロカーボンポリマーの凝集粒子を、酸を含有するアルコールと混合し、ついで濾過により該フルオロカーボンポリマーの凝集粒子とアルコールとを分離し、さらに該フルオロカーボンポリマーの凝集粒子を乾燥することを特徴とするフルオロカーボンポリマー粒子の製造方法。
【請求項２】
酸を含有するアルコール中の酸の濃度が０．１〜１０％である請求項１に記載のフルオロカーボンポリマー粒子の製造方法。
【請求項３】
上記フルオロカーボンポリマーが、式ＣＦ2＝ＣＦ（ＯＣＦ2ＣＦ（ＣＦ3））aＯ（ＣＦ2）bＣＯＯＲ1（ただし、式中、ａは０〜３の整数、ｂは１〜５の整数、Ｒ1は水素原子又は炭素数１〜６のアルキル基を示す。）で示されるビニルエーテル類を重合して得られるポリマーである請求項１または２に記載のフルオロカーボンポリマー粒子の製造方法。
【請求項４】
上記アルコールが炭素数１〜４のアルコールである請求項１、２または３に記載のフルオロカーボンポリマー粒子の製造方法。
【請求項５】
上記酸が硫酸、塩酸または硝酸である請求項１〜４のいずれかに記載のフルオロカーボンポリマー粒子の製造方法。
【請求項６】
酸を含有するアルコールと混合した後のフルオロカーボンポリマーの凝集粒子の粒子径が１０〜１０００μｍである請求項１〜５のいずれかに記載のフルオロカーボンポリマー粒子の製造方法。
【手続補正書】
【提出日】平成19年4月19日(2007.4.19)
【手続補正１】
【補正対象書類名】明細書
【補正対象項目名】特許請求の範囲
【補正方法】変更
【補正の内容】
【特許請求の範囲】
【請求項１】  誘電体材料からなる壁を有する放電容器を具え、前記壁の外表面に少なくとも第１及び第２電極が設けられ、且つ前記放電容器内にキセノン含有ガスが充填されたガス放電ランプを具える水殺菌用装置において、前記壁の内表面の少なくとも一部分上に、ＵＶ−Ｃ（短波長紫外線）領域内で発光する蛍光体を含む被膜が設けられていることを特徴とする水殺菌装置。
【請求項２】  前記蛍光体はＰb2+，Ｂi3+及びＰr3+からなる群から選ばれる活性物質をホスト格子に含むものであることを特徴とする請求項１記載の装置。
【請求項３】  前記蛍光体はＰr3+とランタンを含むものであることを特徴とする請求項１記載の装置。
【請求項４】  前記蛍光体はＬaＰＯ4：Ｐr、ＬaＢＯ3：Ｐr、ＬaＢ3Ｏ6：Ｐr、ＹＢＯ3：Ｐr、ＹＰＯ4：Ｐr及びＹ2ＳiＯ5：Ｐrからなる群から選ばれるものであることを特徴とする請求項１記載の装置。
【請求項５】  前記蛍光体はＹＰＯ4：Ｂi及びＬaＰＯ4：Ｂiからなる群から選ばれるものであることを特徴とする請求項１記載の装置。
【請求項６】  前記蛍光体はＰr3+とイットリウムを含むものであることを特徴とする請求項１記載の装置。
【請求項７】  前記電極はＵＣ−Ｖ光を反射する金属又は合金からなることを特徴とする請求項１記載の装置。
【請求項８】  誘電体材料からなる壁を有する放電容器を具え、前記壁の外表面に少なくとも第１及び第２電極が設けられ、且つ前記放電容器内にキセノン含有ガスが充填されたガス放電ランプにおいて、前記壁の内表面の少なくとも一部分上に、ＵＶ−Ｃ（短波長紫外線）領域内で発光する蛍光体を含む被膜が設けられていることを特徴とするガス放電ランプ。
【手続補正２】
【補正対象書類名】明細書
【補正対象項目名】０００９
【補正方法】変更
【補正の内容】
【０００９】
本発明の範囲内において、蛍光体はＰb2+，Ｂi3+及びＰr3+からなる群から選ばれる活性物質をホスト格子（host lattice:主格子)に含むものとするのが好ましい。
【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】
画像データの縮小画像情報を入力する入力手段と、
該縮小画像情報を解析する解析手段と、
該解析結果に基づいて、前記画像データの補正パラメータを設定する設定手段と、
前記補正パラメータに基づいて前記画像データに補正処理を施す補正手段と
を有することを特徴とする画像処理装置。
【請求項２】
前記入力手段は、画像データファイルに含まれている縮小画像情報を入力することを特徴とする請求項１記載の画像処理装置。
【請求項３】
前記縮小画像情報は、縮小画像データであることを特徴とする請求項２記載の画像処理装置。
【請求項４】
更に、前記補正手段により補正された画像データを印刷出力する印刷手段を有し、
前記補正パラメータは、画像データの印刷のためのパラメータであることを特徴とする請求項１記載の画像処理装置。
【請求項５】
更に、前記入力手段で入力された縮小画像情報に基づいて縮小画像データを生成する縮小画像生成手段を有し、
前記解析手段は、該縮小画像生成手段によって生成された縮小画像データを解析することを特徴とする請求項１記載の画像処理装置。
【請求項６】
更に、画像データの補正処理の自動設定又は手動設定のいずれかを指示する指示手段を備え、
前記指示手段により自動設定が指示された場合に、前記解析手段は解析する対象となる画像情報を予め定められた順番で検索し、検索された画像情報を解析することを特徴とする請求項１記載の画像処理装置。
【請求項７】
前記解析手段は、画像データのガンマ補正タグ、プレビュー画像の順に検索することを特徴とする請求項６記載の画像処理装置。
【請求項８】
画像データの縮小画像情報を入力する入力工程と、
該縮小画像情報を解析する解析工程と、
該解析結果に基づいて、前記画像データの補正パラメータを設定する設定工程と、
前記補正パラメータに基づいて前記画像データに補正処理を施す補正工程と
を有することを特徴とする画像処理方法。
【請求項９】
コンピュータに請求項８に記載の画像処理方法を実行させるためのプログラムを格納した、コンピュータ読み取り可能な記録媒体。
【手続補正書】
【提出日】平成19年6月27日(2007.6.27)
【手続補正１】
【補正対象書類名】明細書
【補正対象項目名】特許請求の範囲
【補正方法】変更
【補正の内容】
【特許請求の範囲】
【請求項１】
画像データを予め定められたファイル形式で保持する保持手段と、
該画像データを解析する解析手段と、
該解析の結果に基づいて、前記画像データの補正パラメータを算出する算出手段と、
前記補正パラメータを前記画像データのファイルに付加する付加手段と
を有することを特徴とする画像処理装置。
【請求項２】
前記付加手段は、前記補正パラメータをファイルの拡張タグ情報として付加することを特徴とする請求項１記載の画像処理装置。
【請求項３】
更に、前記付加手段により付加された補正パラメータのタグ情報に基づいて、前記画像データに補正処理を施す補正手段を有することを特徴とする請求項２記載の画像処理装置。
【請求項４】
更に、前記補正手段により補正された画像データを印刷出力する印刷手段を有し、
前記補正パラメータは、画像データの印刷のためのパラメータであることを特徴とする請求項３記載の画像処理装置。
【請求項５】
前記補正パラメータは、ガンマ補正パラメータであることを特徴とする請求項４記載の画像処理装置。
【請求項６】
更に、前記解析手段、前記算出手段、前記付加手段の実行スケジュールを設定する設定手段を有することを特徴とする請求項１記載の画像処理装置。
【請求項７】
更に、補正パラメータを決定するためのパラメータの設定を行なう設定手段を有し、
前記補正手段は、前記設定手段により設定されたパラメータに基づいて補正パラメータを算出し、該補正パラメータに基づいて補正を行なうことを特徴とする請求項３記載の画像処理装置。
【請求項８】
更に、前記付加手段によって付加された補正パラメータと、前記設定手段により設定されたパラメータに基づく補正パラメータとのいずれを使用するかを選択する選択手段を有し、
前記補正手段は、前記選択手段により選択された補正パラメータに基づいて補正を行なうことを特徴とする請求項７記載の画像処理装置。
【請求項９】
予め定められたファイル形式の画像データを解析する解析工程と、
該解析の結果に基づいて、前記画像データの補正パラメータを算出する算出工程と、
前記補正パラメータを前記画像データのファイルに付加する付加工程と
を有することを特徴とする画像処理方法。
【請求項１０】
コンピュータに請求項９に記載の画像処理方法を実行させるためのプログラムを格納した、コンピュータ読み取り可能な記録媒体。
【手続補正２】
【補正対象書類名】明細書
【補正対象項目名】０００８
【補正方法】変更
【補正の内容】
【０００８】
即ち、画像データを予め定められたファイル形式で保持する保持手段と、該画像データを解析する解析手段と、該解析の結果に基づいて、前記画像データの補正パラメータを算出する算出手段と、前記補正パラメータを前記画像データのファイルに付加する付加手段と、を有することを特徴とする。
【手続補正書】
【提出日】平成19年11月7日(2007.11.7)
【手続補正１】
【補正対象書類名】明細書
【補正対象項目名】００２６
【補正方法】変更
【補正の内容】
【００２６】
この温度計４０の検出結果は、コントローラ４２に供給される。このコントローラ４２には、高分子凝集剤を添加するポンプ２４の流量についての信号も供給されている。そして、このコントローラ４２が水温と高分子凝集剤の添加量に基づいて、モータ２０ｂの回転を制御して、撹拌機２０の撹拌強度を制御する。
【手続補正２】
【補正対象書類名】明細書
【補正対象項目名】００４１
【補正方法】変更
【補正の内容】
【００４１】
（２）本発明の凝集沈殿ろ過装置本発明の装置では、（ｉ）ポリマー混和槽の撹拌強度が自動制御されること、（ｉｉ）ポリマー混和槽をバイパスする管を有せず、その分簡素な装置であること、が比較例の装置と異なるが、その他の点では、比較例の装置構成・処理条件と同じである。
【手続補正３】
【補正対象書類名】明細書
【補正対象項目名】００４５
【補正方法】変更
【補正の内容】
【００４５】
この実験では、ポリマーを添加しないか、添加する場合には、添加量０．１ｍｇ／Ｌ以上とした。
【手続補正書】
【提出日】平成19年6月15日(2007.6.15)
【手続補正１】
【補正対象書類名】明細書
【補正対象項目名】特許請求の範囲
【補正方法】変更
【補正の内容】
【特許請求の範囲】
【請求項１】
被検体に所定の波長の光を照射する発光部と、前記光の照射を受けて前記被検体を通過する光を検出する光検出部と、前記光検出部で検出した光信号を解析し、前記被検体における血流情報を含む生体情報を作成する信号処理部とを備えた生体光計測装置において、
前記信号処理部は、検出した光信号に前記被検体の体動によって急峻なピークとなって混入するスパイク状ノイズ成分を検出する手段と、前記光信号からスパイク状ノイズ成分を除去する手段とを備えたことを特徴とする生体光計測装置。
【請求項２】
前記スパイク状ノイズ成分を検出する手段は、時系列的に得られる前記光信号についてその微分値を求め、前記微分値が所定の閾値以上であるときにノイズと判断することを特徴とする請求項１記載の生体光計測装置。
【請求項３】
請求項１又は２に記載の生体光計測装置であって、前記信号処理部は、時間軸に沿って得られる前記光信号から、所定の時間長さの区間の前記光信号を抽出し、複数の区間データを作成する手段と、抽出した区間データのうちスパイク状ノイズ成分を含む区間データを検出・除去する手段と、前記複数の区間データのうち除去されなかった区間データを用いて加算平均処理し、所定の時間長さの区間データを作成する手段とを含む生体光計測装置。
【手続補正書】
【提出日】平成18年12月28日(2006.12.28)
【手続補正１】
【補正対象書類名】明細書
【補正対象項目名】特許請求の範囲
【補正方法】変更
【補正の内容】
【特許請求の範囲】
【請求項１】  
内部に冷却水通路が形成された鋳造用中子ピンにおいて、前記鋳造用中子ピンの外周面は部分的に保温が必要な保温面を持ち、該保温面と前記冷却水通路との間には断熱空間が前記保温面を薄肉とすることにより形成されていることを特徴とする鋳造用中子ピン。
【請求項２】軸方
請求項１において、前記鋳造用中子ピンは、内部に方向凹部内に挿入されたインナーピンとを具備し、前記アウターピンの外向凹部が形成されたアウターピンと、内部に冷却通路が形成されるとともに前記軸周面は部分的に保温が必要な保温面を持ち、該保温面に対応する前記アウターピンの内周面と前記インナーピンの外周面との間には前記断熱空間としての間隙空間が前記保温面を薄肉とすることにより形成されていることを特徴とする鋳造用中子ピン。
【請求項３】
請求項１において、前記鋳造用中子ピンは、内部に冷却通路が形成されるとともに外周面に凹部が形成されたピン本体と、前記凹部に接合されて該凹部を覆う被覆部材とを具備し、前記凹部と前記被覆部材とで画成される空間で前記断熱空間を構成することを特徴とする鋳造用中子ピン。
【請求項４】
請求項１において、前記鋳造用中子ピンは、
内部に軸方向凹部と周方向溝が形成されたアウターピンと、
内部に冷却通路が形成されるとともに前記軸方向凹部内に挿入されたインナーピンとを具備し、
前記周方向溝が形成された前記アウターピンの外周面は部分的に保温が必要な保温面を持ち、
前記周方向溝の内周面と前記インナーピンの外周面との間には前記断熱空間が形成されていることを特徴とする鋳造用中子ピン。
【請求項５】
内部に冷却水通路が形成された鋳造用中子ピンにおいて、
前記鋳造用中子ピンの外周面は部分的に保温が必要な保温面を持ち、
前記鋳造用中子ピンは、内部に冷却通路が形成されるとともに外周面に凹部が形成されたピン本体と、
前記凹部に接合されて該凹部を覆う被覆部材とを具備し、
前記凹部と前記被覆部材とで画成される空間で前記断熱空間を構成することを特徴とする鋳造用中子ピン。
【手続補正２】
【補正対象書類名】明細書
【補正対象項目名】０００６
【補正方法】変更
【補正の内容】
【０００６】
【課題を解決するための手段】
上記技術的課題を解決するためになされた請求項１の発明は、内部に冷却水通路が形成された鋳造用中子ピンにおいて、前記鋳造用中子ピンの外周面は部分的に保温が必要な保温面を持ち、該保温面と前記冷却水通路との間には断熱空間が保温面を薄肉とすることにより形成されていることを特徴とする鋳造用中子ピンとすることである。
【手続補正３】
【補正対象書類名】明細書
【補正対象項目名】０００７
【補正方法】変更
【補正の内容】
【０００７】
上記請求項１の発明によれば、内部に冷却水通路が形成された鋳造用中子ピンの外周面は部分的に保温が必要な保温面を持ち、この保温面と冷却水通路との間には断熱空間が保温面を薄肉とすることにより形成されている。空気の熱伝導率は非常に小さいので、保温面から冷却水通路を流れる冷却水への熱伝達は断熱空間の空気によって遮断され、保温面での保温が達成される。
【手続補正４】
【補正対象書類名】明細書
【補正対象項目名】０００９
【補正方法】変更
【補正の内容】
【０００９】
また、上記技術的課題を解決するにあたり、請求項２の発明のように、前記鋳造用中子ピンは、内部に軸方向凹部が形成されたアウターピンと、内部に冷却通路が形成されるとともに前記軸方向凹部内に挿入されたインナーピンとを具備し、前記アウターピンの外周面は部分的に保温が必要な保温面を持ち、該保温面に対応する前記アウターピンの内周面と前記インナーピンの外周面との間には前記断熱空間としての間隙空間が保温面を薄肉とすることにより形成されていることを特徴とする鋳造用中子ピンとすることが好ましい。  
【手続補正５】
【補正対象書類名】明細書
【補正対象項目名】００１０
【補正方法】変更
【補正の内容】
【００１０】
上記請求項２の発明によれば、鋳造用中子ピンは、軸方向凹部が形成されたアウターピンと、内部に冷却通路が形成されるとともにアウターピンの軸方向凹部内に挿入されるインナーピンを具備する２ピン構成とされる。また、アウターピンの外周面は部分的に保温が必要な保温面を持つ。そして、この保温面に対応するアウターピンの内周面とインナーピンの外周面との間には、断熱空間としての間隙空間が保温面を薄肉とすることにより形成されている。
【手続補正６】
【補正対象書類名】明細書
【補正対象項目名】００１１
【補正方法】変更
【補正の内容】
【００１１】
このように、請求項２の発明では、アウターピンとインナーピンの２つの構造部材の機械的な結合によって断熱空間として保温面を薄肉とすることによる間隙空間を構成するため、従来のように保温面に塗型層を形成する場合と比較して保温面での保温効果が長時間にわたって一層安定するものである。
【手続補正７】
【補正対象書類名】明細書
【補正対象項目名】００１４
【補正方法】変更
【補正の内容】
【００１４】
このように、請求項３の発明では、従来から使用している中子ピンに凹部を形成して、この凹部を被覆部材で覆い、凹部と被覆部材とで画成される空間で断熱空間を構成できるので、従来から使用している中子ピンも、これを改造するだけで本発明を実現することができる。
また、請求項４の発明では、鋳造用中子ピンは、内部に軸方向凹部と周方向溝が形成されたアウターピンと、内部に冷却通路が形成されるとともに軸方向凹部内に挿入されたインナーピンとを具備し、周方向溝の在る位置にてアウターピンの外周面は部分的に保温が必要な保温面を持ち、周方向溝の内周面とインナーピンの外周面との間には断熱空間が形成されていると良い。
この他、請求項５の発明のように、内部に冷却水通路が形成された鋳造用中子ピンにおいて、前記鋳造用中子ピンの外周面は部分的に保温が必要な保温面を持ち、鋳造用中子ピンは、内部に冷却通路が形成されるとともに外周面に凹部が形成されたピン本体と、凹部に接合されて凹部を覆う被覆部材とを具備し、凹部と被覆部材とで画成される空間で断熱空間を構成すると良い。
【手続補正書】
【提出日】平成19年7月3日(2007.7.3)
【手続補正１】
【補正対象書類名】特許請求の範囲
【補正対象項目名】全文
【補正方法】変更
【補正の内容】
【特許請求の範囲】
【請求項１】
被検者に固有の患者情報のうちの少なくとも１つの情報を入力する入力手段と、
前記患者情報を記憶する記憶手段と、
前記入力手段により入力する患者情報のうちの少なくとも１つの情報を検索条件として、前記記憶手段から該当する前記患者情報を検索する検索手段と、
前記検索手段で検索された前記患者情報を表示する表示手段と、
を備えることを特徴とするファイリング装置。
【請求項２】
前記患者情報を記憶する記憶手段が複数ある場合に、前記患者情報を検索する記憶手段を選択する選択手段を、
さらに備えることを特徴とする請求項１に記載のファイリング装置。
【請求項３】
前記表示手段によって表示された患者情報を確認させるように制御する確認制御手段を、
さらに備えることを特徴とする請求項１または２に記載のファイリング装置。
【請求項４】
前記検索手段は、前記入力手段による患者情報のうちの少なくとも１つの情報の入力中に、所定のタイミングで前記記憶手段から該当する前記患者情報を検索することを特徴とする請求項１〜３のいずれか一つに記載のファイリング装置。
【請求項５】
前記検索手段は、前記患者情報に付加されている検索履歴情報をもとに前記患者情報を検索し、その結果を前記表示手段が表示することを特徴とする請求項１〜４のいずれか一つに記載のファイリング装置。
【請求項６】
前記検索手段は、前記患者情報に付加されている検索履歴情報をもとに前記患者情報を検索する前記記憶手段を選択した上で前記患者情報を検索し、その結果を前記表示手段が表示することを特徴とする請求項５に記載のファイリング装置。
【請求項７】
患者情報のうちの少なくとも１つの情報を入力する第１の入力手段と、前記患者情報を記憶する第１の記憶手段と、前記第１の入力手段により入力する患者情報のうちの少なくとも１つの情報を検索条件として、前記第１の記憶手段から該当する前記患者情報を検索する第１の検索手段と、前記第１の検索手段で検索された前記患者情報を表示する第１の表示手段と、を有する第１のファイリング装置と、
患者情報のうちの少なくとも１つの情報を入力する第２の入力手段と、前記患者情報を記憶する第２の記憶手段と、前記第２の入力手段により入力する患者情報のうちの少なくとも１つの情報を検索条件として、前記第２の記憶手段から該当する前記患者情報を検索する第２の検索手段と、前記患者情報を検索する前記第１または第２の記憶手段を選択する選択手段と、前記選択手段によって選択された前記第１または第２の記憶手段から検索された前記患者情報を表示する第２の表示手段と、を有する第２のファイリング装置と、
前記第１のファイリング装置と前記第２のファイリング装置を電気的に接続させる接続手段と、
を備えることを特徴とするファイリングシステム。
【請求項８】
前記第２の表示手段によって表示された患者情報を確認させるように制御する確認制御手段を、
さらに備えることを特徴とする請求項７に記載のファイリングシステム。
【請求項９】
前記第１および第２の検索手段は、前記第２の入力手段による患者情報のうちの少なくとも１つの情報の入力中に、所定のタイミングで、前記選択手段によって選択された前記第１または第２の記憶手段から該当する前記患者情報を検索することを特徴とする請求項７または８に記載のファイリングシステム。
【請求項１０】
前記検索手段は、前記患者情報に付加されている検索履歴情報をもとに前記患者情報を検索し、その結果を前記表示手段が表示することを特徴とする請求項７〜９のいずれか一つに記載のファイリングシステム。
【請求項１１】
前記検索手段は、前記患者情報に付加されている検索履歴情報をもとに前記患者情報を検索する前記記憶手段を選択した上で前記患者情報を検索し、その結果を前記表示手段が表示することを特徴とする請求項１０に記載のファイリングシステム。